(57)【要約】【課題】その部品と筒体とのクリアランスによってガタが発生してしまっていた。特に使用時にあっては、押棒に転写面からの反力が作用し、前記のガタが顕著となり、転写作業が煩わしいものとなってしまっていた。また、不使用時（押棒収納時）においても、前記のガタが発生してしまい、その結果、修正塗料転写テープが弛み、次の使用時に支障を来してしまっていた。【解決手段】外ケース内に塗膜転写用ヘッドを出没可能に配置した出没式塗膜転写具であって、前記塗膜転写用ヘッドに係合部を配置すると共に、その係合部が係合する係合受部を前記外ケース内に配置し、又、それら係合部と係合受部は相対的に摺動可能に配置された出没式塗膜転写具。【選択図】  図１
2004291284.tif 000002
【特許請求の範囲】
【請求項１】
外ケース内に塗膜転写用ヘッドを出没可能に配置した出没式塗膜転写具であって、前記塗膜転写用ヘッドに係合部を配置すると共に、その係合部が係合する係合受部を前記外ケース内に配置し、又、それら係合部と係合受部は相対的に摺動可能に配置されていることを特徴とする出没式塗膜転写具。
【請求項２】
前記係合部並びに係合受部は、使用の際、前記塗膜転写用ヘッドに力が作用する方向に配置されていることを特徴とする請求項１記載の出没式塗膜転写具。
【発明の詳細な説明】
【０００１】
【発明の属する技術分野】
本発明は、外ケース内に塗膜転写用ヘッドを出没可能に配置した出没式塗膜転写具に関する。
【０００２】
【従来の技術】
１例として、特開平６−５５８９５号公報に記載の字消し具（塗膜転写具）を挙げ説明する。
【０００３】
この字消し具は、未使用の修正塗料転写テープを巻装する供給リールと、この修正塗料転写テープを介して一体に連続し、使用後の修正塗料転写テープを巻取る巻き上げリールを回転自在に内部に保持する筒体と、この筒体の後方より出入自在となるノック部を有し、スプリングの弾性を以て、先端に、筒体内を誘導ピンをもって案内される修正塗料転写テープを、ノック部の押圧により、筒体の先端の開口から突出させてなる押棒を配設してなるスライダーから構成されている。
【０００４】
更に詳述する。前記筒体内には、修正塗料転写テープが巻回された供給リールと、使用された修正塗料転写テープを巻き取る巻き上げリールが配置されているが、前記修正塗料転写テープは、誘導ピンを介して巻き上げリールに巻き取られる。また、筒体には、スプリングによって後方に付勢されたノック部が前後動可能に配置されている。そのノック部にはスライダーが固定されており、そのスライダーのほぼ中央部には巻き上げ爪が揺動自在に軸支されている。そして、その巻き上げ爪は前記巻き上げリールに固定されているギヤに噛合している。また、前記スライダーの前方には、押棒が配設されており、前記ノック部を押圧することによって押棒が前進し、その押棒の前進によって前記修正塗料転写テープが筒体の開口から突出し得るようになっている。
【０００５】
次ぎに、使用方法について説明する。印刷物等の誤字を修正しようとする場合には、筒体の先端を修正したい箇所に当接させた状態で、ノック部を押圧操作すると、このノック部に固定されているスライダーが前方へスプリングを圧縮しながら押勢する。この時、このスライダーに揺動自在に軸支されている巻上げ爪は、巻き上げリールと同一軸上に固定されているギアに対して巻き上げ方向のみに噛合しているため、巻き上げリールは回転せず、スライダーはそのまま前進する。そして、このスライダーの先端に配設されている押棒は誘導ピンに案内されながら前進し、未使用の修正塗料転写テープの裏面を押圧する。更に押棒が前進すると筒体の開口から未使用の修正塗料転写テープが突出し、この筒体の先端の開口より突出した前記未使用の修正塗料転写テープの表面の修正塗料膜によって、前記修正したい個所にある誤字等が被覆され、修正することができるようになる。
【０００６】
また、修正後は、筒体後方のノック部を離すと、圧縮されていたスプリングの弾性により、ノック部が後方へ移動する。それと同時にノック部に固定されているスライダー、スライダーの先端に配設されている押棒と共に筒体の先端の開口より突出している使用済みの修正塗料転写テープが後方へ移動され、筒体内部に没入される。この時、筒体内を後方に移動するスライダーに揺動自在に軸支されている巻き上げ爪は、巻き上げリールに固定されているギアとの間に噛合が起こるため、巻き上げリールが巻き上げ方向に回転する。この動作により、供給リールより新たな修正塗料転写テープが引き出され、次回の使用に対しての準備がなされる。
【０００７】
【特許文献１】
特開平６−５５８９５号公報（段落００１３第２行目〜段落００１７第１８行目）
【０００８】
【発明が解決しようとする課題】
しかし、上記従来技術にあっては、ノック部、並びに、スライダー、押棒が一体の部品となっており、その部品が筒体内に配置されているものの、その部品と筒体とのクリアランスによってガタが発生してしまっていた。特に使用時にあっては、押棒に転写面からの反力が作用し、前記のガタが顕著となり、転写作業が煩わしいものとなってしまっていた。
また、不使用時（押棒収納時）においても、前記のガタが発生してしまい、その結果、修正塗料転写テープが弛み、次の使用時に支障を来してしまっていた。
【０００９】
【課題を解決するための手段】
本発明は、外ケース内に塗膜転写用ヘッドを出没可能に配置した出没式塗膜転写具であって、前記塗膜転写用ヘッドに係合部を配置すると共に、その係合部が係合する係合受部を前記外ケース内に配置し、又、それら係合部と係合受部は相対的に摺動可能に配置されていること要旨とする。
【００１０】
【実施例】
本発明の実施の形態を図１〜図５に示し、詳細に説明する。塗布転写具本体７の側壁であって前方近傍と中間部近傍には、レール７ａが一体形成されている。その中間部近傍に位置する中間レール７ａは、間隔を形成して対向する２箇所に形成されている。一方、前ケース１の内面には、前記各々のレール７ａに対応して溝部１ａが形成されている。そして、その溝部１ａに前記レール７ａが摺動自在に嵌り込んでいるのである。即ち、その溝部１ａは、レール７ａのガイドとなっているのである。
又、前記前ケース１の後部には、後ケース２が接続されているが、それらは互いに着脱可能なものとなっている。具体的に説明すると、前記前ケース１の後部側面には穴部１ｂが形成されており、その穴部１ｂに前記後ケース２に形成された突起部２ｃが係合している。この突起部２ｃを内方に押圧変形せしめることによって前記係合状態を解除し、前ケース１と後ケース２とを分離させるのである。
【００１１】
前記塗膜転写具本体７の後方には、ノック３が連結・配置されており、そのノック３は、前記後ケース２の後端部に形成された貫通孔２ｂから突出している。又、前記ノック３の外周面３ｂは、貫通孔２ｂの内周面と摺接しており、ほとんどクリアランスのないものとなっているが、摺動自在なものとなっている。即ち、ノックと貫通孔とのガタを極力防止しているのである。
前記ノック３の後方には、頭冠４が被覆されており、その頭冠４を被覆することによって該部分を押圧しやすいものとしている。頭冠４をゴム状部材で形成しても良く、押圧する指に対する感触をより一層向上させることができる。
【００１２】
ここで、前記ノック３の中間部分には、長穴部３ａが形成されており、その長穴部３ａにはコ字形で、且つ、弾性変形が可能な係止部材５が遊挿されている。その係止部材５にはボタン部５ａが形成されており、前記後ケース２に形成された穴部２ａに係合している。即ち、そのボタン部５ａは係止部材５によって内方に向けて押圧が可能なものとなっている。又、前記長穴部３ａの内壁部には係合爪３ｃが形成されており、その係合爪３ｃは係止部材５に形成された係止突起部５ｂに係合している。
一方、前記前ケース１の前方内部と塗布転写具本体７との間には、コイルスプリングなどからなる弾撥部材６が介在されており、互いを離隔する方向に作用している。つまり、弾撥部材６は、常に、圧縮状態にあるのである。
【００１３】
次に、本発明の動作について説明する。前記ノック３を押圧操作すると連結されている塗膜転写具本体７が弾撥部材６の弾撥力に抗しながら、又、レール７ａにより前記前ケースの溝部１ａに沿って案内されながら前方へ移動する。しかし、前記係止部材５はそのボタン部５ａが前記後ケース２の穴部２ａに挿着されているため移動しない。
ここで、更に、前記ノック３の押圧操作を進めると長穴部３ａに形成されている係合爪３ｃが係止突起部５ｂに当接し、コの字型の係止部材５がバネ性を持ちながら変形し始める。ここで、前記係止突起部５ｂがその斜面に沿ってノック３の係合爪３ｃの下方にもぐり込み、通過する。この通過と同時に、係止部材５が元の状態に復元し、係止突起部５ｂが係合爪３ｃに係合・係止する。これで、前記塗膜転写具本体７の塗膜転写用ヘッド７ｄが前記前ケース１から突出された状態となる。ここで、ノック３の押圧操作を解除するが、係止突起部５ｂが係合爪３ｃに係止されているため、前記塗膜転写具本体７の弾撥部材６の弾撥作用による後退が阻止され、その結果、塗膜転写用ヘッド７ｄの突出状態が維持される。これにより、使用が可能な状態となる（図２参照）。
【００１４】
使用後、前記塗膜転写具本体７の塗膜転写用ヘッド７ｄを前記前ケース１内に収納させたい場合は、前記係止部材５のボタン部５ａを押圧する。この押圧操作によって、前記係止部材５の係止突起部５ｂが押し下げられ、前記ノック３の係合爪３ｃと前記係止部材５の係止突起部５ｂの係止状態が解除される。この解除動作と同時に、前記弾撥部材６の付勢力によって塗膜転写具本体７がノック３と共に後方へ移動し、この後退移動によって前記塗膜転写用ヘッド７ｄも後方へ移動し、再び前ケース１内に収納される。これにより使用できない状態となる。
【００１５】
ここで、前記塗膜転写具本体７を交換する場合には、前記後ケース２の突起部２ｃを内方に向けて押圧し、前記前ケース１の穴部１ｂとの係合状態を解除する。その解除によって、前ケース１と後ケース２が分離し、塗膜転写具本体７を取り出すことができる。次いで、新たな塗膜転写具本体７を、分離されている前ケース１か或いは、後ケース２に挿着し、再び、前ケース１と後ケース２を連結させる。
【００１６】
尚、前記実施例においては、出没機構の１例としてノック式でボタンにより解除・収納する機構を採用しているが、これに限定されることなく、例えば、デビットカム機構や単なるスライド機構であっても良く、使用時の筆圧によって塗膜転写用ヘッド７ｄが後退してしまうなど、使用に差し支えない構造、並びに、材質であれば適宜選択が可能である。
また、前記弾撥部材６はコイルスプリングを例示しているが、これに限定されることなく、板状のバネ部材であっても良く、ウレタンゴムやシリコーンゴムなどのゴム部材であって良く、圧縮・弾撥作用を有する部材であるならば、その形状や材質は適宜選択が可能である。
更に、本実施例では弾撥部材６を塗膜転写具本体７の前方に設置しているが、塗膜転写具の全長を短くするためであって、塗膜転写具の大きさなどに制約がなければ弾撥部材６を後方に設置しても良い。
【００１７】
尚、本実施例では、環境を考慮して塗膜転写具本体を交換が可能なものとしているが、塗膜転写具本体の交換ができないような構造に採用しても良い。また、本実施例では、塗膜転写具本体７にレール７ａ、前ケース１に溝部１ａを形成し、互いに発生するガタを防止しているが、塗膜転写具本体７に溝部、前ケース１にレールを設置しても良い。
更に本実施例では、方向性がある塗膜転写具のため、前記塗膜転写具本体７のレール７と前記前ケース１の溝部１ａの断面形状を上下左右方向のガタに対して適下形状を採用している。即ち、頂部７ｂと側面に平面部７ｃを有する突状となっている。尚、前記の形状に捕らわれることなく、頂部や側面を円弧とするボール状や、多角形状でも良く、或いは、半円板形のタイヤ状であっても良い。
【００１８】
【発明の効果】
本発明は、外ケース内に塗膜転写用ヘッドを出没可能に配置した出没式塗膜転写具であって、前記塗膜転写用ヘッドに係合部を配置すると共に、その係合部が係合する係合受部を前記外ケース内に配置し、又、それら係合部と係合受部は相対的に摺動可能に配置されているため、転写作業を容易に、且つ、確実に行うことができる。
【図面の簡単な説明】
【図１】本発明の出没式塗膜転写具収納時の一実施例切断斜視図である。
【図２】図１の出没式塗膜転写具出没時の切断斜視図である。
【図３】図１の出没式塗膜転写具の分解斜視図である。
【図４】図１の出没式塗膜転写具の前ケース１の切断斜視図である。
【図５】図１の出没式塗膜転写具の塗膜転写具本体７の斜視図である。
【符号の説明】
１      前ケース
１ａ    溝部
１ｂ    穴部
２      後ケース
２ａ    穴部
２ｂ    貫通孔
２ｃ    突起部
３      ノック
３ａ    長穴部
３ｂ    外周面
３ｃ    係合爪
４      頭冠
５      係止部材
５ａ    ボタン部
５ｂ    係止突起部
６      弾撥部材
７      塗膜転写具本体
７ａ    レール
７ｂ    頂部
７ｃ    平面部
７ｄ    塗膜転写用ヘッド
【図１】
2004291284.tif 000003
【図２】
2004291284.tif 000004
【図３】
2004291284.tif 000005
【図４】
2004291284.tif 000006
【図５】
2004291284.tif 000007